(57)【要約】【課題】  再生される音楽にはまったく影響を与えず、広告音声と音楽とを続けて再生することが可能で、広告音声と音楽からなる再生音を車内のカーステレオや家庭のステレオ装置で聴取することが可能な広告機能付きトランスミッターの実現を課題とする。【解決手段】  広告音声信号を記憶する広告音声信号記憶部１１と、外部音楽再生装置２０からの音楽信号を入力する外部信号入力部１５と、広告音声信号と音楽信号の選択を含む装置全体の制御を行う制御部１２と、選択された広告音声信号又は音楽信号をＦＭ無線信号に変換して出力するＦＭトランスミッター部１３とを設けたことを特徴とする。【選択図】      図２
2007334096.tif 000002
【特許請求の範囲】
【請求項１】
音声信号を記憶する音声信号記憶部と、
外部音楽再生装置からの音楽信号を入力する外部信号入力部と、
前記音声信号と前記音楽信号の選択を含む装置全体の制御を行う制御部と、
この制御部によって選択された前記音声信号又は前記音楽信号をＦＭ無線信号に変換して出力するＦＭトランスミッター部と
を有することを特徴とするトランスミッター。
【請求項２】
前記音声信号記憶部に記憶するため、前記音声信号を、外部の音声再生装置又はマイクロフォンから入力する音声入力部を有することを特徴とする請求項１に記載のトランスミッター。
【請求項３】
前記信号入力部は、前記音楽再生装置からの音楽信号を入力する機能とともに、前記音声信号を外部の音声再生装置又はマイクロフォンから入力する機能を有し、前記制御部はこうして入力された前記音声信号を前記音声信号記憶部に記憶させる機能を有することを特徴とする請求項１に記載のトランスミッター。
【請求項４】
前記外部信号入力部は、前記外部音楽再生装置のイヤホンジャックに直接又はアダプタケーブルを介して接続可能に構成されていることを特徴とする請求項１乃至請求項３のいずれか１項に記載のトランスミッター。
【請求項５】
前記外部信号入力部は、前記外部音楽再生装置のＵＳＢコネクタに直接又はアダプタケーブルを介して接続可能に構成されていることを特徴とする請求項１乃至請求項３のいずれか１項に記載のトランスミッター。
【請求項６】
前記制御部は、前記音楽信号を遅延する信号遅延手段を有することを特徴とする請求項１乃至請求項５のいずれか１項に記載のトランスミッター。
【発明の詳細な説明】
【技術分野】
【０００１】
本発明は、ＦＭトランスミッターに関し、特に種々の音声再生装置からの再生音楽信号の切れ目に音声信号を挿入してカーステレオや家庭内のステレオ装置に発信して再生させることが可能なトランスミッターに関する。
【背景技術】
【０００２】
携帯型のデジタルオーディオ機器が、近年、広く普及してきている。このような携帯型デジタルオーディオ機器は、利用者がインターネットなどの通信機能を用いて配信される音楽配信サービスから曲を選んで樂曲とその楽曲に関する関連情報とをメモリにダウンロードして記憶し、これらの記憶内容から曲を選択して再生し、イヤホーンで聴取すると共に、携帯装置に設けられたディスプレイに表示される曲名やアーチスト名などの関連情報を見ることができるように構成されている。さらに、このような機能を組み込んだ携帯電話も現れている。
音楽配信サイトでは、音楽データのダウンロードの際に広告情報を付加することが行われており、例えば広告つきの楽音データをダウンロードすると、その音楽の再生の際に、広告音声がアナウンスされたり、特定の広告がディスプレイに表示されたりするようになっているものがあった。
【０００３】
また、より効果的に広告を再生することができるように、音楽配信サービスから楽曲をダウンロードする際に、音楽データの所定の音楽部分に対応付けられた広告データを同時にダウンロードし、音楽の再生にあわせて、音楽の所定部分でディスプレイに広告が再生されるようにしたものが報告されている（特許文献１参照。）。
しかしながら、上述した広告の提供は、あくまで、音楽配信サービスが配信する楽曲に対して付与されるものであって、楽曲を配信された利用者側が広告を付与することができる性質のものではない。
【０００４】
これに対して、配信された楽曲を店内や商店街でバックグランドミュージックとして流すようにしながら、その合間に広告音声を流したいというような要求もある。このような場合に、従来は、強制的に音楽を止めて広告音声に切替えていたため、それまで流れていた音楽を聴いていた人にとっては不愉快な思いをさせることになりかねず、かえって宣伝効果を低下させることになる虞があった。
この問題を解決するため、断続的に流れる音楽の無音状態を検出して、無音状態の検出後に広告音声を挿入するようにした例が報告されている（特許文献２参照。）。
【０００５】
また、このようなポータブルデジタルオーディオ機器や携帯電話や携帯型のＣＤ、ＭＤプレイヤーからの再生出力を、カーステレオや家庭用のステレオ装置で聞くために、ＦＭトランスミッターを用いる方法がある。これは、このようなオーディオ機器の出力をＦＭトランスミッターでＦＭ無線信号に変えて無線送信し、この信号にカーステレオやステレオ装置のＦＭラジオを同調させて受信して再生する方法である。
【特許文献１】特開２００２−７３０５０号公報
【特許文献２】特開平１０−０５５１５０号公報
【発明の開示】
【発明が解決しようとする課題】
【０００６】
上述したように、音楽配信サービスが楽曲に対して付与する広告は従来から行われている。しかし、この方法では、音楽配信サービスを受けた利用者側で簡単に広告を音楽に付与させるわけにはいかず、広告自体が広域を目的とし高価なものになる虞がある。
音楽の途中に割り込ませる方法は、音楽配信サービスを受ける利用者側で比較的容易に処理することができる方法であるが、音楽を途中で切断してしまう虞があり、特許文献２の方法でも、無音状態の長さが予測できないので、広告音声で、次の音楽の出鼻をカットしてしまう虞がある。
本発明は、このような問題を解決して、利用者側の装置に音声を記憶させ、再生される音楽にはまったく影響を与えず、音声と音楽とを続けて再生することが可能で、音声と音楽からなる再生音を車内のカーステレオや家庭のステレオ装置で聴取することが可能なトランスミッターの実現を課題とする。
【課題を解決するための手段】
【０００７】
上記課題を解決するため、本発明の請求項１に記載の発明は、音声信号を記憶する音声信号記憶部と、外部音楽再生装置からの音楽信号を入力する外部信号入力部と、前記音声信号と前記音楽信号の選択を含む装置全体の制御を行う制御部と、この制御部によって選択された前記音声信号又は前記音楽信号をＦＭ無線信号に変換して出力するＦＭトランスミッター部とを有することを特徴とする。
これにより、音声信号を予め記憶しておき、制御部でこの音声信号と外部からの音楽信号とを切り替え、これらをＦＭ無線信号として出力するので、音楽を切断することなく、音楽と音声（例えば、広告音声）とをＦＭ法送受信装置を有するカーステレオやステレオ装置で聴取することが可能になる。
【０００８】
本発明の請求項２に記載の発明は、請求項１に記載のトランスミッターにおいて、前記音声信号記憶部に記憶するため、前記音声信号を、外部の音声再生装置又はマイクロフォンから入力する音声入力部を有することを特徴とする。
これにより、比較的簡単に音声信号を予め音声信号記憶部に記憶しておくことができる。
【０００９】
本発明の請求項３に記載の発明は、請求項１に記載のトランスミッターにおいて、前記外部信号入力部は、前記外部音楽再生装置からの音楽信号を入力する機能とともに、前記音声信号を外部の音声再生装置又はマイクロフォンから入力する機能を有し、前記制御部はこうして入力された前記音声信号を前記音声信号記憶部に記憶させる機能を有することを特徴とする。
これにより、同一の外部信号入力部から音声信号と音楽信号とを入力して、音声信号を予め音声信号記憶部に記憶した後、音声信号と音楽信号を再生することができる。
【００１０】
本発明の請求項４に記載の発明は、請求項１乃至請求項３のいずれか１項に記載のトランスミッターにおいて、前記外部信号入力部は、前記外部音楽再生装置のイヤホンジャックに直接又はアダプタケーブルを介して接続可能に構成されていることを特徴とする。
これにより、簡単な方法で外部音楽再生装置に本発明のトランスミッターを接続することができる。
【００１１】
本発明の請求項５に記載の発明は、請求項１乃至請求項３のいずれか１項に記載のトランスミッターにおいて、前記外部信号入力部は、前記外部音楽再生装置のＵＳＢコネクタに直接又はアダプタケーブルを介して接続可能に構成されていることを特徴とする。
これにより、本装置から外部音楽再生装置に制御信号を送って制御したり、外部装置から電源を得たりすることが可能になり、全体の制御をより効果的に行うことができる。
【００１２】
本発明の請求項６に記載の発明は、請求項１乃至請求項５のいずれか１項に記載のトランスミッターにおいて、前記制御部は、前記音楽信号を遅延する信号遅延手段を有することを特徴とする。
これにより、音声信号の時間長さにあわせて音楽信号を遅延させて、音声信号と音楽信号を切れ目なく連続して再生することが可能になる。
【発明の効果】
【００１３】
これらにより、音声信号を予め記憶しておき、制御部でこの音声信号と外部からの音楽信号とを切り替え、これらをＦＭ無線信号として出力することができるので、音楽を切断することなく、音楽と音声とをＦＭ法送受信装置を有するカーステレオやステレオ装置で聴取することが可能なトランスミッターを実現することができる。
【発明を実施するための最良の形態】
【００１４】
以下、図面を参照して、本発明のトランスミッターを詳細に説明する。
【００１５】
図１は、本発明のトランスミッターが適用される実施の形態としての広告機能付きトランスミッターの使用時の構成を示す外観図である。図１において、符号１０はこの広告機能付きトランスミッター、符号２０はデジタル携帯プレーヤ、携帯電話、パソコンなどを含む外部音楽再生装置、符号３１はカーステレオ、符号３２はＦＭステレオ装置、符号１７は広告機能付きトランスミッター１０と外部音楽再生装置２０とを接続するケーブルである。
【００１６】
図１の構成では、本実施の形態の広告機能付きトランスミッター１０に予め広告音声が記憶されており、外部音楽再生装置２０で音楽の再生が始まるのにあわせて、音楽の再生を一時遅らせるようにして、広告音声を再生してカーステレオ３１やＦＭステレオ装置３２にＦＭ無線信号として送って聴取させ、その後、音楽を送って聴取させるようにしている。
【００１７】
図２に、本実施の形態の広告機能付きトランスミッターの第１の実施形態のブロック図を示す。また、図３に第１の実施形態の広告機能付きトランスミッターの制御部１２の詳細ブロック図を、図４に制御部１２の各部波形を示す。
図２において、符号１０は本実施形態の広告機能付きトランスミッター、符号１１は広告音声信号記憶部、符号１２は制御部、符号１３はＦＭトランスミッター部、符号１４は広告音声入力部、符号１５は外部信号入力部、符号１６はバッテリー部（電源）、符号２０は外部音楽再生装置、符号２１は広告音声再生装置である。また、図３において、符号１２１は遅延回路、符号１２２は入力検出回路である。  
【００１８】
図２、図３及び図４に沿って、本実施形態の動作を説明する。
外部音楽再生装置２０による音楽の再生に先立って、まず、広告音声信号記憶部１１に広告音声を記憶させる。これは、例えば、広告音声再生装置２１に記憶されている広告音声を再生して、広告音声入力部１４を介して広告音声信号記憶部１１に入力記憶させることで実行される。もちろん、マイクロフォンを広告音声入力部１４につないで、直接音声を記録しても良い。
【００１９】
このような状態で、接続ケーブル１７又は接続コネクタを用いて、本実施形態の広告機能付きトランスミッター１０を、外部信号入力部１５及び接続ケーブル１７又は接続コネクタを介して外部音楽再生装置２０に接続する。接続ケーブル１７の先端又は接続コネクタは、外部音楽再生装置２０のイヤホンジャックに挿入接続されるようになっており、接続は容易である。
【００２０】
広告機能付きトランスミッター１０を外部音楽再生装置２０に接続した状態で、外部音楽再生装置２０の再生をスタートさせると、図４（ａ）に示すように、音楽信号Ａが接続ケーブル１７と外部信号入力部１５を経て、制御部１２の遅延回路１２１及び入力検出回路１２２に現れる。入力検出回路１２２は音楽信号Ａの立ち上がりを検出して、図４（ｂ）に示すような広告音声再生スタート信号を広告音声信号記憶部１１に出力する。広告音声信号記憶部１１はこの広告音声再生スタート信号を受け、図４（ｃ）に示すように広告音声信号Ｂを再生する。
【００２１】
一方、遅延回路１２１に入力された音楽信号Ａは、図４（ｄ）に示すように、所定の遅延時間ｔだけ遅れて、遅延回路１２１から出力される。この遅延時間ｔは、広告音声信号Ｂの長さに見合って決められる。遅延回路１２１は遅延時間を可変に決められるようにしておいて、広告音声信号記憶部１１に記憶された広告音声信号Ｂの時間長さに応じて調整されることが望ましい。
【００２２】
出力選択スイッチＳｗ１は、制御部１２内部の制御によって、広告音声信号Ｂが出力されている間はそれを選択し、広告音声信号Ｂが終了すると遅延回路１２１出力を選択するように構成されている。これにより、制御部１２の出力信号は、広告音声信号Ｂが終了した後に遅延音楽信号Ａ´が続いて、図４の（ｅ）に示すような信号となり、広告機能付きトランスミッター１０からは、広告音声信号に音楽信号が続いたＦＭ無線信号が出力され、このＦＭ無線信号に同調したＦＭラジオを持つ外部のカーステレオ３１やＦＭステレオ装置３２で広告音声信号と音楽信号が連続して再生される。
【００２３】
図５に、本実施の形態の広告機能付きトランスミッターの第２の実施形態のブロック図を、図６に第２の実施形態の制御部１２の詳細ブロック図を示す。
第２の実施形態の基本構成は第１の実施形態と同じなので、ここでは第１の実施形態との違いを中心に説明する。なお、便利のため、図５及び図６において、図２及び図３と同じ機能素子については同一の符号を振ることにした。
【００２４】
第２の実施形態と第１の実施形態との相違点は、広告音声信号を入力する広告音声再生装置２１と、音楽信号を入力する外部音楽再生装置２０とが同一の外部信号入力部１５に接続されている点である。
広告音声信号は接続ケーブル１７と外部信号入力部１５を経て、制御部１２に入力され、制御部内の入力選択スイッチＳｗ２で広告音声信号記憶部１１の入力に接続される。入力選択スイッチＳｗ２の切り替えは手動でも差し支えない。
このようにすることで、第１の実施形態での広告音声入力部１４をなくし、入力端子やコネクタを削減することができる。広告音声信号の入力は、音楽信号の入力に先立った適当な時期に行えばよいので、このようにしても大きな支障はない。
【００２５】
以上の説明では、本実施の形態の広告機能付きトランスミッター１０と外部音楽再生装置２０の接続は、外部音楽再生装置２０のイヤホンジャックを用いて行うように説明した。しかし、外部音楽再生装置２０が例えばパソコンなどの場合は、そのＵＳＢコネクタを用いて行うこともできる。この場合、電源をＵＳＢコネクタを介して外部音楽再生装置２０から取り、広告機能付きトランスミッター１０のバッテリー部１６をなくすこともできる。
【００２６】
また、以上の説明では、広告音声信号と音楽信号の出力タイミングを合わせるのに、遅延回路を用いるように説明したが、外部音楽再生装置２０のリモート制御機能を用いたり、制御部１２側から外部音楽再生装置２０に対して制御信号を送って外部音楽再生装置２０からの出力タイミングを遅らせたりすることも、外部音楽再生装置２０にそれに対応できる機能がある場合には有効である。
【００２７】
広告音声信号記憶部１１に記憶される広告音声信号は１つとは限らず、ほぼ同じ程度の時間長さの広告音声信号を複数記憶させておいて、広告音声の再生のタイミングで、そのうちの１つを選んで再生することもできる。これによって、さらに多彩な音声広告を行うことができる。
【００２８】
本発明の実施の形態による広告機能付きトランスミッターは以上のように構成したので、再生される音楽を途中で切断するようなことなく、音楽の配信を受ける側で作成した広告音声信号を長期間、安定に再生して、広告の効果を持続することができる。したがって、広告費用分に見合うだけ、廉価に提供することができるというメリットがある。
【００２９】
以上に述べたように、本発明の実施の形態による広告機能付きトランスミッターはＦＭトランスミッターに広告媒体としての機能を付加した商品となるので、デジタル携帯プレーヤや携帯電話機などと併用して用いるＦＭトランスミッターとしての価値と、広告媒体としての価値もあり、宣伝広告の分野など広範な産業分野で利用の可能性が考えられる。
【００３０】
なお、以上の実施の形態においては、記憶される音声信号としては広告音声信号の例をもって説明したが、これに限られるものではなく、例えば、家族や知人の声、動物の鳴き声（鳥・犬・猫等）、自然音（風の音、波の音等）などを録音したものであっても良い。また、このような音声信号を複数記憶させておき、前の音楽信号と後の音楽信号の間の無音状態を検出した際に、当該音声信号をシリアルに挿入するようにしても良い。
【図面の簡単な説明】
【００３１】
【図１】本発明の実施の形態に係る広告機能付きトランスミッターの使用時の構成を示す外観図である。
【図２】本発明の実施の形態に係る広告機能付きトランスミッターの第１の実施形態のブロック図である。
【図３】図２に示す実施の形態の制御部の詳細ブロック図である。
【図４】図２に示す実施の形態の制御部の各部波形図である。
【図５】本発明の実施の形態に係る広告機能付きトランスミッターの第２の実施形態のブロック図である。
【図６】図５に示す実施の形態の制御部の詳細ブロック図である。
【符号の説明】
【００３２】
１０  広告機能付きトランスミッター
１１  広告音声信号記憶部
１２  制御部
１３  ＦＭトランスミッター部
１４  広告音声入力部
１５  外部信号入力部
１６  バッテリー部（電源）
１７  ケーブル
２０  外部音楽再生装置
２１  広告音声再生装置
３１  カーステレオ
３２  ＦＭステレオ装置
１２１  遅延回路
１２２  入力検出回路
【図１】
2007334096.tif 000003
【図２】
2007334096.tif 000004
【図３】
2007334096.tif 000005
【図４】
2007334096.tif 000006
【図５】
2007334096.tif 000007
【図６】
2007334096.tif 000008